(57)【特許請求の範囲】
【請求項１】
第１および第２の側辺部分に沿って接合される第１パネルおよび第２パネルと、
前記第１および第２のパネルが互いに接合している前記第１および第２のパネルにおける前記第１および第２の側辺部分間に延びている底部と、
前記底部に対向する位置で、前記第１および第２のパネルにおける前記第１および第２の側辺部分間に延びている口部と、
前記口部に沿って延びているクロージャ部材であり、前記第１パネルに接合した第１フィン、および前記第２パネルに接合した第２フィンを有する、該クロージャ部材と、
第１端部、第２端部および前記第１端部と前記第２端部との間の中間部分を有する個別の構体によって画定されるシール部材であり、前記第１端部および前記第２端部から前記底部の反対方向に延びる前記中間部分によって、前記第１端部を前記第１フィンに取り付けるとともに前記第２端部を前記第２フィンに取り付け、この取り付けにおいて、前記第１端部または前記第２端部の少なくとも一方は剥離可能シールで取り付ける、該シール部材と
を備えた再封止可能なパッケージ。
【請求項２】
請求項１に記載の再封止可能なパッケージにおいて、前記シール部材の前記第１端部を前記フィンに剥離可能なシールで取り付け、前記シール部材の第２端部を前記フィンにロックアップシールで取り付けたパッケージ。
【請求項３】
請求項１に記載の再封止可能なパッケージにおいて、前記シール部材の前記第１端部を前記第１フィンに剥離可能なシールで取り付け、前記シール部材の前記第２端部を前記第２フィンに剥離可能なシールで取り付けたパッケージ。
【請求項４】
請求項１に記載の再封止可能なパッケージにおいて、さらに、前記第１フィンに取り付けた第１端部および前記第２フィンに取り付けた第２端部を有する薄膜であって、前記第１端部と前記第２端部との間における箇所で形成した脆弱ラインを有する該薄膜を備えたパッケージ。
【請求項５】
請求項４に記載の再封止可能なパッケージにおいて、前記薄膜は前記シール部材の下方に配置したパッケージ。
【請求項６】
請求項４に記載の再封止可能なパッケージにおいて、前記薄膜は前記シール部材の上方に配置したパッケージ。
【請求項７】
請求項１に記載の再封止可能なパッケージにおいて、前記シール部材は前記再封止可能なパッケージから取り外し可能としたパッケージ。
【請求項８】
請求項１に記載の再封止可能なパッケージにおいて、前記剥離可能なシールは、接着剤、熱融着、または超音波結合で形成したパッケージ。
【請求項９】
請求項１に記載の再封止可能なパッケージにおいて、少なくとも１個のフィンの少なくとも一部は、共押出成形材料を有するものとしたパッケージ。
【請求項１０】
請求項９に記載の再封止可能なパッケージにおいて、前記第１フィンおよび第２フィンの少なくとも一部における前記パネルに取り付ける終端部は共押出成形材料を有するものとしたパッケージ
【請求項１１】
請求項１に記載の再封止可能なパッケージにおいて、前記第１および第２の側辺部分がパッケージの幅を画定し、前記第１および第２の側辺部分間に延在する前記剥離可能なシールは、前記パッケージの幅よりも短い距離にわたり延在するパッケージ。
【請求項１２】
第１および第２の側辺部分に沿って接合される第１パネルおよび第２パネルと、
前記第１および第２のパネルが互いに接合している前記第１および第２のパネルにおける前記第１および第２の側辺部分間に延びている底部と、
前記底部に対向する位置で、前記第１および第２のパネルにおける前記第１および第２の側辺部分間に延びている口部と、
前記口部に沿って延びているクロージャ組立体であり、前記第１パネルに接合した第１フィン部材および前記第２パネルに接合した第２フィン部材を有する、該クロージャ組立体と、
第１端部および第２端部を有するシール部材であり、前記第１端部をフィン部材に取り付け、前記第２端部をパネルに取り付け、この取り付けにおいて、前記シール部材の前記第１端部または前記シール部材の前記第２端部の少なくとも一方は剥離可能シールにより取り付けられ、前記シール部材、パネル、およびフィンを個別の構体とする、該シール部材と
を備えた再封止可能なパッケージ。
【請求項１３】
請求項１２に記載の再封止可能なパッケージにおいて、前記シール部材の前記第１端部を前記第１フィンにロックアップシールで取り付け、前記シール部材の第２端部を前記パネルに剥離可能なシールで取り付けたパッケージ。
【請求項１４】
請求項１２に記載の再封止可能なパッケージにおいて、前記シール部材は、前記第１端部と前記第２端部との間の箇所に形成した脆弱ラインを有するものとしたパッケージ。
【請求項１５】
請求項１１に記載の再封止可能なパッケージにおいて、前記シール部材は前記第１端部と前記第２端部との間に位置する中間部分を有し、前記中間部分をロックアップシールにより前記第２フィンに取り付けたパッケージ。
【請求項１６】
請求項１２に記載の再封止可能なパッケージにおいて、前記第１および第２の側辺部分がパッケージの幅を画定し、前記第１および第２の側辺部分間に延在する前記剥離可能なシールは、前記パッケージの幅よりも短い距離にわたり延在するパッケージ。
【請求項１７】
第１および第２の側辺部分に沿って接合される第１および第２パネルと、
前記第１および第２のパネルが互いに接合している前記第１および第２のパネルにおける前記第１および第２の側辺部分間に延びている底部と、
前記底部に対向する位置で、前記第１および第２のパネルにおける前記第１および第２の側辺部分間に延びている口部と、
前記口部に沿って延びているクロージャ組立体であり、前記第１パネルに接合した第１フィン部材および前記第２パネルに接合した第２フィン部材を有する、該クロージャ組立体と、
を備え、
前記第１フィン部材および前記第２フィン部材は一緒に、少なくとも１つの剥離可能なシールによって前記第２パネルに取り付けられた一体構成のフィン部材として構成される、再封止可能なパッケージ。
【請求項１８】
請求項１７に記載の再封止可能なパッケージにおいて、前記第１フィン部材を前記クロージャ組立体の下方第１距離に延在させ、前記第２フィン部材を前記クロージャ組立体の下方第２距離に延在させ、第１距離を第２距離よりも長いものとしたパッケージ。
【請求項１９】
請求項１７に記載の再封止可能なパッケージにおいて、前記第１フィン部材の上方部分を前記第１パネルにロックアップシールにより取り付け、前記第１フィン下方部分を前記第２パネルに少なくとも１つの剥離可能なシールにより取り付けたパッケージ。
【請求項２０】
請求項１７に記載の再封止可能なパッケージにおいて、前記第２フィン部材の下方部分を前記第２パネルに前記少なくとも１つの剥離可能なシールにより取り付けたパッケージ。
【請求項２１】
請求項１７に記載の再封止可能なパッケージにおいて、前記一体構成のフィン部材を前記第２パネルに２個の剥離可能シールによって取り付けたパッケージ。
【請求項２２】
請求項１７に記載の再封止可能なパッケージにおいて、前記第１および第２の側辺部分がパッケージの幅を画定し、前記第１および第２の側辺部分間に延在する前記剥離可能なシールは、前記パッケージの幅よりも短い距離にわたり延在するパッケージ。
【請求項２３】
製品を頂部から充填してパッケージする方法において、
少なくとも１個のウェブ材料を設けるステップと、
前記少なくとも１個のウェブ材料から、第１側辺、第２側辺、頂部および底部を有する第１パネル、ならびに、第１側辺、第２側辺、頂部および底部を有する第２パネルを形成するステップと、
前記第１パネルを前記第２パネルに対向させて位置決めするステップと、
前記第１側辺、第２側辺、および底部に沿って前記第１パネルを前記第２パネルに接合して、前記底部とは反対側に位置する口部を有するパッケージ内部を画定するステップと、
前記口部から物品を挿入するステップと、
前記口部に沿って延在するクロージャ組立体を設けるクロージャ組立体準備ステップであり、前記クロージャ組立体は前記第１パネルに接合した第１フィンおよび前記第２パネルに接合した第２フィンを有するものとした、該クロージャ組立体準備ステップと、および
第１端部、第２端部および前記第１端部と前記第２端部との間の中間部分を有する個別の構体によって画定されるシール部材を設けるシール部材準備ステップであり、前記第１端部および前記第２端部から前記底部の反対方向に延びる前記中間部分によって、前記第１端部を前記第１フィンに取り付けるとともに前記第２端部を前記第２フィンに取り付け、この取り付けにおいて前記第１端部または前記第２端部の少なくとも一方は剥離可能なシールにより取り付けるものとした、該シール部材準備ステップと
を備えた、パッケージ方法。
【請求項２４】
製品を底部から充填してパッケージする方法において、
少なくとも１個のウェブ材料を設けるステップと、
前記少なくとも１個のウェブ材料から、第１側辺、第２側辺、頂部および底部を有する第１パネル、ならびに、第１側辺、第２側辺、頂部および底部を有する第２パネルを形成するステップと、
前記第１パネルを前記第２パネルに対向させて位置決めするステップと、
前記第１側辺、および第２側辺に沿って前記第１パネルを前記第２パネルに接合して、前記第１パネルおよび前記第２パネルそれぞれの底部に隣接して位置する口部を有するパッケージ内部を画定するステップと、
前記第１のパネルおよび前記第２のパネルそれぞれの頂部に沿って延在するクロージャ組立体を設けるクロージャ組立体準備ステップであり、前記クロージャ組立体は前記第１パネルに接合した第１フィンおよび前記第２パネルに接合した第２フィンを有するものとした、該クロージャ組立体準備ステップと、および
第１端部、第２端部および前記第１端部と前記第２端部との間の中間部分を有する個別の構体によって画定されるシール部材を設けるシール部材準備ステップであり、前記第１端部および前記第２端部から前記底部の反対方向に延びる前記中間部分によって、前記第１端部を前記第１フィンに取り付けるとともに前記第２端部を前記第２フィンに取り付け、この取り付けにおいて前記第１端部または前記第２端部の少なくとも一方は剥離可能なシールにより取り付けるものとした、該シール部材準備ステップと、
前記口部から製品を挿入する挿入ステップであって、それに従って、前記シール部材が、前記製品によって加わる荷重から前記クロージャ組立体を保護する、該挿入ステップと、
前記口部に沿って前記第１のパネルを前記第２のパネルに接合させて、前記製品を前記パッケージの内部に閉じ込めるステップと、
を備えた、パッケージ方法。
【発明の詳細な説明】
【技術分野】
【０００１】
関連出願の相互参照
本明細書は、２００８年４月２３日に出願した米国仮出願第６１／０４７，３２７号の恩恵を請求する。この出願内容を参照することにより、本明細書に明示的に付記されるものとする。
【０００２】
本発明の主題の分野
本発明の要旨は内力に耐えるパッケージクロージャに関する。特に本発明は消費者の使用のため最も適合した便利なパッケージを提供するため、第１シールおよび第２シールを有するパッケージクロージャに関する。
【背景技術】
【０００３】
背景技術の説明
ポリマー製の袋（ポリ袋）のようなパッケージは、家庭ならびに商業的施設など、数多くの分野で広く用いられている。ポリ袋は貯蔵や食品のパッケージのような、広範囲な用途で使用されている。ポリ袋の１つの優位性は、比較的費用対効果が高く、望めば再利用が可能であるという点である。さらに、クロージャ組立体を有するポリ袋は、簡単に開封し再封止される袋を提供する。再封止可能な袋は、しばしば再封止可能なファスナあるいはスライダ機構のようなクロージャ組立体を有する。有利なことに、クロージャの特徴は、袋を数えきれないほどの回数再開封および再封止できるようにする。
【０００４】
密封および／または不正開封防止を目的とした破壊可能なあるいは剥離可能なシールによってファスナの相互ロック機能を高めた多種類の再密封可能な袋が存在する。しかし、このようなパッケージは、増加した充填荷重に基因する重量のある内容物のパッケージで発生する、内側から開封しようとする力に対し高い抵抗力を示す、好適な密封および／あるいは不正開封防止シールを提供しない。したがって、大きなパッケージ、袋またはポーチ、例えばペットフード、炭、猫のトイレ砂、米、および同様の物品に使用されるこれらのものは、一般的にクロージャ機構を有することなく、充填されまた密封されている。これらパッケージは、フォーム・フィル・シール（ＦＦＳ：form fill and seal）または他の方法で形成される。ファスナクロージャ機構を組み込む従来の試みは、比較的重量のある荷重物を有する大きな袋という特別な要件に基因して、不十分であった。
【０００５】
特に、袋の底から充填することは、充填プロセス中に荷重がクロージャに直接加わり、ファスナクロージャが破損したり、開いたりする原因となりうる。同様に、運搬中に充填した袋をパレットに落したり、同様な乱暴な取り扱いをしたりすることによりファスナクロージャを破損する原因となりうる。側面マチ付袋は、とくにクロージャが破損し易く、この理由は、前面および後面の袋パネルがマチ無し袋よりも大きな距離離れて位置しており、したがって、袋の中心部付近に高い荷重が集中して発生し、これをクロージャ機構が吸収しなければならないからである。
【０００６】
従来技術のパッケージクロージャにおける幾つかの前例としては、米国特許第４，２５２，８４６号、同第５，７２５，３１２号、同第６，１３１，２４８号、同第６，１８３，１３４号、同第６，２９０，３９３号、同第６，９０１，６３７号、同第７，２１３，３０５号、ならびに米国特許出願公開第２００８／００５００５２号、同第２００８／００５００５６号、同第２００８／００４７２２８号があり、これら各前例は、参照することにより本明細書に付記されるものとする。このような従来の方法およびシステムは一般的にそれらが主張する目的が故に成功していると考えられてきたが、いずれにせよ簡素化したクロージャ形態、ならびに消費者が袋の内容物にアクセスするために必要となる力の軽減に対する要望が依然として存在する。
【先行技術文献】
【特許文献】
【０００７】
【特許文献１】米国特許第４，２５２，８４６号明細書
【特許文献２】米国特許第５，７２５，３１２号明細書
【特許文献３】米国特許第６，１３１，２４８号明細書
【特許文献４】米国特許第６，１８３，１３４号明細書
【特許文献５】米国特許第６，２９０，３９３号明細書
【特許文献６】米国特許第６，９０１，６３７号明細書
【特許文献７】米国特許第７，２１３，３０５号明細書
【特許文献８】米国特許出願公開第２００８／００５００５２号明細書
【特許文献９】米国特許出願公開第２００８／００５００５６号明細書
【特許文献１０】米国特許出願公開第２００８／００４７２２８号明細書
【発明の概要】
【発明が解決しようとする課題】
【０００８】
したがって、製造フィルムまたはパッケージ製造装置に対して変更をほとんどまたは全く必要とせずに、内部の増大した荷重に耐えることができるパッケージクロージャを設けるための効率的かつ経済的な方法およびシステムに対する必要性が依然として残っている。
【課題を解決するための手段】
【０００９】
本発明の目的および利点は、以下に述べる説明および記載から明らかになるとともに、本発明を実施することによって知得できるであろう。本発明の他の利点は、本明細書および特許請求の範囲、ならびに添付図面に、特別に示した方法およびシステムによって実現され、獲得されるであろう。
【００１０】
これらおよび他の利点を得るために、また本発明目的にしたがって、実施形態として具現化し、また概要として説明するように、本発明は、第１側辺部分および第２側辺部分を有する第１パネルと、第１側辺部分および第２側辺部分を有する第２パネルとを備え、第１パネルを第２パネルに対向させて、第１および第２の側辺部分に沿って第２パネルに接合する再封止可能パッケージを提供する。底部で第１および第２のパネルを互いに連結し、再封止可能な頂部は底部に対向して配置し、第１および第２のパネルにおける第１および第２の側辺部分間に延びて存在している（延在する）。クロージャ組立体は再封止可能な頂部に沿って延在し、再封止可能な頂部を開閉するよう構成し、クロージャ組立体は第１パネルに接合した第１フィンおよび第２パネルに接合した第２フィンを有する。さらにシール部材を設け、このシール部材は第１端部および第２端部を有し、第１端部を第１フィンに接合し、第２端部を第２フィンに接合し、第１端部および第２端部のうち少なくとも一方を剥離可能なシールに接合する。
【００１１】
シール部材の第１端部は剥離可能なシールによってフィンに接合することができ、シール部材の第２端部はロックアップシールによってフィンに接合することができる。さらに、シール部材の第１端部は剥離可能なシールによって第１フィンに接合することができ、シール部材の第２端部は剥離可能なシールによって第２フィンに接合することができる。さらに、の第１端部を第１フィンに一体形成することができ、シール部材の第２端部は剥離可能なシールによって第２フィンに接合することができる。
【００１２】
いくつかの実施形態において、再封止可能なパッケージは、第１フィンに接合した第１端部および第２フィンに接合した第２端部を有する薄膜を備え、第１端部と第２端部との間において脆弱ラインを形成する。薄膜はシール部材の下方、またはシール部材の上方に配置することができる。
【００１３】
シール部材は、再封止可能パッケージから取り外すことができる別個に形成した部材とすることができ、剥離可能なシールは接着剤、ヒートシール、もしくは超音波接合、または当業界でよく知られているその他の方法および技術により形成することができる。
【００１４】
他の実施形態において、再封止可能なパッケージは、第１側辺部分および第２側辺部分を有する第１パネルと、第１側辺部分および第２側辺部分を有する第２パネルとを備え、第１パネルを前記第２パネルに対向させて、前記第１および第２の側辺部分に沿って第２パネルに接合する。底部により第１および第２のパネルを互いに連結し、再封止可能な頂部は底部に対向させて配置し、第１および第２のパネルにおける第１側辺部分と第２側辺部分との間に延在する。クロージャ組立体は再封止可能な頂部に沿って延在し、再封止可能な頂部を開閉するよう構成し、クロージャ組立体は、第１パネルに接合した第１フィン部材、および第２パネルに接合した第２フィン部材を有する。さらに、第１端部および第２端部を有するシール部材を設け、このシール部材の第１端部をフィン部材に接合し、第２端部をパネルに接合し、これら接合において、シール部材の第１端部またはシール部材の第２端部のうち少なくとも一方は剥離可能なシールにより接合するものとする。
【００１５】
シール部材の第１端部はロックアップシールにより第１フィンに接合することができ、シール部材の第２端部は剥離可能なシールにより第２フィンに接合することができる。さらに、シール部材は、第１端部と第２端部との間において形成した脆弱ラインを有する。さらに、シール部材は第１端部と第２端部との間に位置する中間部分を有し、中間部分をロックアップシールで第２フィンに接合する。シール部材の第１端部およびフィン部材を一体に形成する、または代案として、シール部材、パネル、およびフィンを個別に形成することができる。
【００１６】
他の実施形態において、再封止可能なパッケージは、第１側辺部分および第２側辺部分を有する第１パネルと、第１側辺部分および第２側辺部分を有する第２パネルとを備え、第１パネルを第２パネルに対向させて、第１および第２の側辺部分に沿って第２パネルに接合する。底部により第１および第２のパネルを互いに連結し、また再封止可能な頂部は、底部に対向させて配置し、第１および第２のパネルにおける第１側辺部分と第２側辺部分との間に延在する。クロージャ組立体を、再封止可能な頂部に沿って延在させ、また再封止可能な頂部を開閉するよう構成し、クロージャ組立体は、第１パネルに接合した第１フィン部材および第２パネルに接合した第２フィン部材を有し、第１フィン部材は剥離可能なシールで第２パネルに接合する。
【００１７】
さらに、第１フィン部材をクロージャ組立体の下方第１距離に延在させ、第２フィン部材をクロージャ組立体の下方第２距離に延在させ、第１距離を第２距離よりも長いものとする。第１フィン部材の上方部分を第１パネルにロックアップシールで接合することができ、また第１フィン部材の下方部分を第２パネルに剥離可能なシールで接合することができる。第２フィン部材はロックアップシールで第２パネルに接合することができる。第１フィン部材は第２フィン部材に一体に連結することができ、またこの一体構成のフィン部材を２個の剥離可能なシールで第２パネルに接合することができる。
【００１８】
上述の概略的説明および以下の詳細説明はともに例示的なものであり、特許請求の範囲に記載する本発明の要旨の説明を意図するものと理解されたい。
本明細書の一部として組み込み、また本明細書の一部をなす添付図面は、本発明による方法およびシステムを一層理解できるよう示し、かつ設けたものである。説明とともに、図面を使用して本発明による原理を説明する。
【図面の簡単な説明】
【００１９】
【図１】本発明による再封止可能な袋の線図的説明図である。
【図２】本発明によるクロージャ組立体の一実施形態の拡大斜視図である。
【図３】再封止可能なファスナおよびスライダの実施形態の正面図である。
【図４】再封止可能なファスナおよびスライダをクロージャに対し組み付ける準備状態にある開封位置を示す斜視図である。
【図５】再封止可能なパッケージに組み付けた状態にある再封止可能なファスナおよびスライダの斜視図である。
【図６Ａ】本発明による再封止可能なファスナおよびシール部材の断面図である。
【図６Ｂ】本発明による再封止可能なファスナおよびシール部材の断面図である。
【図６Ｃ】本発明による再封止可能なファスナおよびシール部材の断面図である。
【図６Ｄ】本発明による再封止可能なファスナおよびシール部材の断面図である。
【図６Ｅ】本発明による再封止可能なファスナおよびシール部材の断面図である。
【図７】本発明による再封止可能なファスナおよびシール部材の断面図である。
【図８】本発明による再封止可能なファスナおよびシール部材の断面図である。
【図９】本発明による再封止可能なファスナおよびクロージャ組立体の断面図である。
【図１０】本発明による再封止可能なファスナおよびクロージャ組立体の断面図である。
【図１１】本発明による再封止可能なファスナおよびクロージャ組立体の断面図である。
【図１２】本発明による再封止可能なファスナおよびクロージャ組立体の断面図である。
【図１３】本発明による再封止可能なファスナおよびクロージャ組立体の断面図である。
【図１４Ａ】本発明による再封止可能なファスナおよびクロージャ組立体の断面図である。
【図１４Ｂ】本発明による再封止可能なファスナおよびクロージャ組立体の断面図である。
【図１５】本発明による再封止可能なファスナおよびクロージャ組立体の断面図である。
【図１６】本発明による再封止可能なファスナおよびクロージャ組立体の断面図である。
【図１７】本発明によるシール部材に形成したノッチを示す再封止可能な袋の正面図である。
【図１８】本発明によるクロージャ組立体の断面図である。
【発明を実施するための形態】
【００２０】
以下に、添付図面で示す本発明の好適な実施形態を詳細に説明する。本発明による方法および対応するステップを、システムの詳細な説明と関連して説明する。
【００２１】
本発明によれば、袋は、密封した底部、底部とは反対側に位置する再封止可能な頂部、および互いに対向して相互に接合した第１パネルおよび第２パネルを有するものとして設ける。袋は、さらに袋の上面に沿って配置した再封止可能なクロージャ組立体を有する。幾つかの実施形態においては、クロージャ組立体は、圧迫して閉じるファスナ形態、または代替的、クロージャ組立体の開閉を容易にするためファスナクロージャに取り付けたスライダデバイスを有する。スライダデバイスは、スライダデバイスをファスナに沿って第１方向に移動するときに相互ロックするファスナ輪郭を分離する、またスライダデバイスを第２方向、すなわちファスナに沿って逆方向に移動するときに相互ロックするファスナ輪郭を係合させるよう構成する。このようなファスナクロージャおよびスライダデバイスの例としては、米国特許第７，２６３，７４８号に記載されており、その全内容は、参照することにより本明細書において付記されるものとする。
【００２２】
説明および例示の目的であり、限定するものではない本発明によるシステムの例示的実施形態を図１において、全体的に参考符号１０で示す。本発明によるパッケージの付加的な特徴、態様、および実施形態を、以下に図２〜１７につき説明する。
【００２３】
図１に示すように、袋１０は、第１および第２の互いに対向する本体パネル１２，１４を有する。一実施形態において、本体パネル１２，１４は、それぞれ第１および第２の側辺部分１８ａ，１８ｂに沿って互いに接合する、または固定的に連結する。図１に示すように、底部１６は、第１および第２の側辺部分１８ａ，１８ｂ間に延びて存在（延在）する。さらに、底部１６は、第１パネル１２を第２パネル１４に連結する。幾つかの実施形態では、袋１０は、参照符号１７で示すように、底部に沿って、または側辺部分に沿って、またはその双方に沿って、または望ましい場合にはその双方に沿って、まちを設けて形成することができる。
【００２４】
第１および第２のパネル１２，１４は３個の側辺部分、例えば底部および互いに対向する側辺部分に沿って接合した２つの個別シートで形成することができる。代案として、第１および第２のパネルを一体の折り畳んだシートで形成することができる。一体シートには、側辺折り畳み部または底部折り畳み部を設けることができる。
【００２５】
第１および第２のパネル１２，１４は、広範囲の材料から形成することができる。好適には、パネルは、ポリマー材料、例えば以下に限定するものではないが、ポリエステル；ポリスチレン；ナイロン；ポリプロピレン；ポリエチレン；ポリエチレンおよびポリプロピレンの共重合体；ポリカーボネート；ポリアセタル；アクリル系ブタジエン―スチレン共重合体；例えば、低密度ポリエチレン（ＬＤＰＥ）、直鎖状低密度ポリエチレン（ＬＬＤＰＥ）、高密度ポリエチレン（ＨＤＰＥ）および／またはエチレンビニルアセテートおよび／または共重合体の混合体、多層の組み合わせ、またはそれらの積層体よりなる、単層もしくは多層のポリエチレン；またはそれらの組み合わせで形成する。しかし、当業界で認識されるように、他の熱可塑性材料を使用して、袋のパネルを形成することができる。さらに、袋のパネル１２，１４は、任意の織成材料、例えば紙厚紙、織物、または任意な他の適切な材料で形成することができる。
【００２６】
さらに、袋の第１および第２のパネルは２層またはそれ以上の層を有する同時押し出しフィルムから形成することができる。第１および第２のパネルのそれぞれは、好適には、約０．４ミル〜約１０ミルの範囲の厚さとする。好適な一実施形態においては、厚さを３．５ミルとする。しかし、袋の意図する用途に基づいて、所望に応じて、他の厚さを使用することができる。
【００２７】
本発明の他の態様において、クロージャ組立体は、袋の再封止可能な頂部を開閉するよう構成したファスナを有することができる。一実施形態において、ファスナは第１側面パネルに取り付けた第１ファスナトラックおよび第２側面パネルに取り付けた第２ファスナトラックを備え、これら第１および第２のファスナトラックは、それぞれ第１および第２のパネルにおいて互いに対向する関係にして配置する。トラックは、一体形成した輪郭部およびフィンにより構成する。他の実施形態において、クロージャ組立体のファスナは、指の圧力または補助的な絞り込み（スクイーズ）デバイスにより操作するよう構成し、絞り込み（スクイーズ）デバイスによって第１および第２のトラックが互いに絞り込まれるようにする（例えば、プレス・トゥ・クローズ式ファスナのように）。このようにして、クロージャ組立体のファスナは、力を加えることにより、相互ロックする連結部を形成するよう構成した第１および第２のトラックを有する。
【００２８】
例示的な一実施形態において、クロージャ組立体は、再封止可能なファスナを有する。このようにして、再封止可能なファスナは、補助的なスライダ機構、指の圧力、または補助的な絞り込みデバイスの使用により操作する。図２に示すように、クロージャ組立体は、相互ロックする連結部を形成するよう構成したスライダ機構２３、および第１トラック２４、および第２トラック２５を有するファスナ２０とする。
【００２９】
例として、以下に限定するものではないが、第１および第２のトラックは、クロージャ組立体の長さに沿って延在する、互いに補完し合う形状のリブ２６および溝２７の輪郭部を有する。リブおよび溝の輪郭部２６，２７は互いに補完し合う断面形状に構成する。図２に示す相互ロックするリブおよび溝の輪郭部２６，２７の断面形状は、ヘリントン氏の米国特許第５，００７，１４３号に記載された発明の要旨であり、参照することにより全体的に本明細書に付記されるものとする。このようにして、リブ２６は対応する溝２７に対して整合関係を形成する。
【００３０】
リブトラック２４は、リブ輪郭部２６およびリブ輪郭部２６から垂下する第１フィンまたはフランジ２８ａを有する。同様に、溝トラック２５は溝輪郭部２７および溝輪郭部２７から垂下する第２フィンまたはフランジ２８ｂを有する。フィン２８ａ，２８ｂは互いに対向する本体パネル１２，１４に取り付けた状態で示す。トラック２４，２５はフィン２８ａ，２８ｂを有するよう個別に押し出し成形して、袋の口に対応する側辺に取り付ける、またはトラック２４，２５は袋の口における側辺に一体成形する。トラック２４，２５を個別に押し出し成形する場合、トラックにそれぞれ組み込んだ対応する第１および第２のフィン２８ａ，２８ｂにより、例えば袋の口に対する熱融着（ヒートシール）により、最も効果的に取り付けることができる。
【００３１】
一実施形態において、図２に示すようなスライダ２３は、カッペル氏らの米国特許第５，８９６，６２７号に記載されており、袋１０の再封止可能な頂部に配置したクロージャ組立体２０にスライド可能に取り付ける。スライダ２３はクロージャ組立体の第１および第２のトラック２４，２５の係合および離脱を容易にするよう構成する。このようにして、スライダ２３は、第１および第２のトラックが係合する封止位置と、第１および第２のトラックが離脱した開封位置との間で遷移するよう構成する。
【００３２】
スライダが封止位置から開封位置遷移するとき、第１および第２のトラック２４，２５は徐々に離脱して開封した状態の袋を画定し、これにより使用者は袋１０の内部にアクセスすることができる。さらに、開封位置から封止位置へのスライダ２３の移動により、リブおよび溝の輪郭部２６，２７のような、第１および第２のトラック間における相互ロック連結を容易にし、これにより袋１０の内部へのアクセスを制限する。例えば、リブおよび溝の輪郭部２６，２７は、２個の手段の一方で袋を確実に封止するよう、巻き込みまたは圧入で相互ロック構成にすることができる。まず、使用者が一方の端部で互いに巻き込むまたは圧入し、つぎに使用者が順次にクロージャ組立体に沿って指を輪郭部の各側面上で動かす、クロージャ組立体の長さに沿って相互に嵌合する。代案として、袋はクロージャ組立体のトラックに沿って乗り込むスライダを設けることができる。スライダを一方向に引くとき、袋は封止され、逆方向へ引くとき袋は再開封する。
【００３３】
一実施形態において、図２に示すように、スライダ２３は、分離フィンガ２００が下方に突出する横方向の支持部材またはスライダ本体２９を有する、反転したほぼＵ字状部材を有する。スライダ本体２９それ自体はＵ字状であり、そして下方に突出する２個の一体の脚部２０１を有する。フィンガ２００は脚部２０１間に位置する。スライダ本体２９は、トラック２４，２５の頂部に沿って移動し、脚部２０１がこれらトラックにまたがりまたフィンガ２００がトラック２４，２５間に位置するよう構成する。スライダ２３は、さらに、ヒンジ連結した「ウィング（翼）」２０２，２０３を有し、これらウィングは最終位置に下方に折り畳むことができる。ウィング２０２，２０３は、脚部２０１の両側の端に部位置するヒンジ構造２０２ａ，２０３ｂによってスライダ本体２９にヒンジ連結する。
【００３４】
折り畳み可能な垂下するウィングまたは側壁２０２，２０３は、スライダ２３の開封側端部２３ａから封止側端部２３ｂに延在する。スライダ本体２９および分離フィンガ２００は、開封側端部２３ａにおいて封止側端部２３ｂよりも幅広にすることに留意されたい。同様に、側壁２０２，２０３および脚部２０１は、スライダ２３の開封側端部２３ａにおいては、トラック２４，２５に係合するフィンガ２００によりリブおよび溝の輪郭部２６，２７を分離できるようより広く離して配置する。ウィング２０２，２０３および脚部２０１は、スライダの封止側端部２３ｂにおいては、互いに十分接近させて配置し、スライダ２３がクロージャ組立体の封止方向に移動するに伴い、リブおよび溝の輪郭部２６，２７を相互ロック関係に押圧する。図２に示すように、側壁２０２，２０３の下方端部には、内向きに突出する肩部構造２０４を設ける。肩部構造２０４は、クロージャ組立体２０の底部に係合し、スライダ２３がクロージャ組立体２０にまたがっている間に、スライダ２３がトラック２４，２５の端縁から持ち上がるのを阻止する。
【００３５】
スライダ２３は、任意の適切なプラスチック材料、例えば、以下のものに限定しないが、ポリエステル；ポリスチレン；ナイロン；ポリプロピレン；ポリエチレン；ポリエチレンおよびポリプロピレンの共重合体；ポリカーボネート；ポリアセタル；アクリル系ブタジエン―スチレン共重合体；例えば、低密度ポリエチレン（ＬＤＰＥ）、直鎖状低密度ポリエチレン（ＬＬＤＰＥ）、高密度ポリエチレン（ＨＤＰＥ）および／またはエチレンビニルアセテートおよび／または共重合体の混合体、多層の組み合わせ、またはそれらの積層体よりなる、単層もしくは多層のポリエチレン；またはそれらの組み合わせで形成する。
【００３６】
クロージャ組立体２０の両側の端部は、図２および、参照することにより本発明に全体的に付記されるものとした、パテル氏らの米国特許第７，２６７，８５６号に記載されたような端部止め構造２０５を有する。端部止め構造の一部は、クロージャ組立体２０から、スライダ２３に係合するに適正な距離だけ突出し、スライダ２３がクロージャ組立体２０の各端部を行き過ぎて、袋１０から離脱するのを防ぐ。端部止めの一部は、横方向に適正な距離だけ突出してスライダ２３に係合し、スライダ２３の移動がクロージャ組立体２０の各端部を通り過ぎるのを防止する。本明細書で使用する、「横方向」はトラックの軸線に対し直交する方向を意味する。
【００３７】
例えば、端部止めの一部は、ほぼ水平方向またはほほ垂直方向に適正な距離だけ突出し、スライダ２３に係合し、またスライダ２３がクロージャ組立体２０の各端部を通り過ぎるのを防止する。付加的にまたは代替的に、端部止めの一部は、適正な距離だけクロージャ組立体２０の残りの部分から上方および／あるいは外方に突出し、スライダ２３に係合し、スライダ２３がクロージャ組立体２０の各端部を通り過ぎるのを防止する。端部止めの形状に関連する他の詳細は、参照することにより全体的に本発明に付記されるものとしたヘリントン氏らの米国特許第５，１３１，１２１号で得られる。いくつかの実施形態において、もっとも幅広いポイントでの端部止めの厚さは約０．１２７ｍｍ〜７．０３５８ｍｍ（約０．００５インチ〜約０．２７７０インチ）の間で変化することができる。
【００３８】
本発明によれば、さらに図３〜５に示すように、再封止可能なファスナは、１対の可撓性プラスチックの細条を有し、これら細条は、それぞれ長さに沿って延在する分離可能なファスナ手段を有し、このファスナ手段は、各細条において再封止可能な相互ロック可能な雄形輪郭素子および雌形輪郭素子を有する。細条は、長さに沿って延在する雄および雌形の素子に平行な輪郭形成したトラックを有する。スライダには、またがった関係でファスナに沿って移動するようプラスチックで形成した、分離フィンガおよび、相互ロックする補完し合う構造を設ける。補完し合う構造は、横方向の支持部材を有し、この支持部材から垂下する分離フィンガを設ける。支持部材は、トラックの頂部端縁に配置し、トラック間に分離フィンガを挿入する。
【００３９】
１対の側壁は、支持部材の両側に配置し、これら側壁間に１対の細条を収容し、分離フィンガおよび側壁はスライダの開封側端部から封止側端部に延在する。分離フィンガは、スライダの開封側端部ではスライダの封止側端部よりも幅広にし、側壁は、開封側端部では側壁間に突出する分離フィンガの幅広の端部近傍で雄形および雌形の素子を分離することができるよう、広い間隔離して配置する。側壁は、スライダの封止側端部においては、スライダをファスナ封止方向に移動するとき、雄形および雌形の素子を相互ロック関係に押し付けることができるよう、互いに十分に近い距離に配置する。
【００４０】
さらに、スライダがトラックに沿って行程の封止端部に到達したときに、スライダを封止位置に                                         保持し、また雄形および雌形の素子を相互ロック関係に維持する手段を設け、この手段は、スライダの開封側端部に隣接して分離フィンガの幅広い端部における突起、およびトラックの隣接端部におけるノッチ構造を有する。ノッチ構造はトラックに位置する端部を設け、分離フィンガの幅広の端部がトラック間からこの端部を越えて移動してノッチ構造内に進入することができるようにする。突起は、スライダがトラックの行程における封止側端部にあるとき、ノッチ構造の端部に係合可能であり、この結果としてヘリントンジュニア氏の米国特許第５，０６７，２０８（参照することにより全体として本明細書に付記されたものとする）に示されまた記載されたように、分離フィンガの幅広い方の端部がノッチ構造から抜け出て、トラック間に進入して不慮にファスナの雄形および雌形の素子を解放することを抑止する。
【００４１】
本発明の一態様によれば、また図６〜８の断面図に示すように、袋１０は、相互ロックファスナ輪郭部２６，２７および袋パネル１２，１４に接合する、下方に突出するフィン２８ａ、２８ｂを有するクロージャ組立体を備える。さらに、シール部材３５を設け、このシール部材３５は、パッケージの内側からの高負荷（例えば破裂力）に耐え、しかも消費者が容易に開封できるようにする。                                  
【００４２】
例示的実施形態においては、ファスナトラック材料はファスナ輪郭部２６，２７、および下方延長長さが約３８．１ｍｍ（約１．５インチ）のフィン２８ａ，２８ｂを有する２ピース構成となるよう押し出し成形する。これら２ピース構成の押し出し成形後、約２〜６ミルの薄いウェブ材料として構成したシール部材３５を、例えば輪郭部２６，２７の直下で、ファスナトラックの内面に付着付着させる。このようにして、シール部材３５は密封シールを形成し、また不正開封防止薄膜として機能する。さらに、パネル１２，１４の側辺および底辺を接合して密封シールを形成する。
【００４３】
シール部材３５は、剥離可能なシールを形成することができる封止可能な共押出し材料のウェブから押出成形する。特定の領域における低融点プラストマーのような共押出しシール材料の押出成形によれば、シール部材は強固なまたは永続的なシールを形成することができるとともに、共押出し低融点プラストマー材料がない領域は、剥離可能シールの形成を容易にし、これにより、消費者はパッケージの内容物にアクセスできるようになる。永続的なまたは「ロックアップ」シールは、共押出し低融点プラストマーを、強固な結合を得るための従来技術では知られている剥離可能シール材料に組み合わせることにより形成することができる。剥離可能シールは剥離可能シール材料のみによって、すなわち共押出し低融点プラストマー成分なしで、形成することができる。
【００４４】
本発明の一態様によれば、パッケージが充填されたとき、図１３に示すように、マチが広がってパネルが引き離され、せん断荷重「ｓ」が剥離可能シール３２０に加わる。剥離可能シールの結合は、内容物によって発生するせん断力「ｓ」に耐えるに十分な強度を有しているが、剥離方向「ｐ」においては弱く、したがって、消費者はパッケージの内容物にアクセスできるよう簡単に剥離可能シールを破断することができる。さらに、位置３４０におけるクロージャフィンと袋パネルとの間に生ずる結合は永続的であり、この「ロックアップ」タイプの結合は、荷重の向きに無関係に増大した荷重に耐えることができる。
【００４５】
本発明によるシール、すなわち永続的なまたは剥離可能なシールは、様々な技術、例えば接着、熱融着、超音波溶接等により形成することができる。超音波溶接を使用する場合、回転超音波ホイールを使用してシールを形成すると有利であり、この理由としては、このような装置はクロージャ組立体の加熱および抗力を減少させ、これにより、しわおよび他の望ましくない変形を少なくするからである。本発明によるシール、すなわち永続的なまたは剥離可能なシールの強度は、接着剤の量もしくはタイプ、または熱融着もしくは超音波溶接の場合におけるシール時間の持続状況を変化させるにより変動し得る。これら技術のいずれかを使用して、永続的なまたは剥離可能ないずれかのタイプのシールを形成することができるが、当業者であれば、永続的シールの形成には、本発明にしたがって選択位置で適量の共押出し低融点プラストマーの組み込みを含むことを理解するであろう。
【００４６】
図６Ａで例示した実施形態においては、シール部材３５は位置３０においてフィン２８ａに取り付けた第１端部、および位置３２においてフィン２８ｂに取り付けた第２端部を有する。シール部材３５は「ロックアップ」シールのような永続的結合、または剥離可能なシールのような一時的結合によってフィンに取り付けることができる。したがって、シール部材のフィンに対する取り付けは、取り付け箇所３０，３２の双方をロックアップシールまたは剥離可能な一時的シールのいずれかとして構成することができる。さらに、シール部材３５は、フィン２８ａ、２８ｂに対して異なるシールのタイプ、例えばロックアップシール３０および剥離可能シール３２の組み合わせを使用して取り付けることができ、これにより、シール部材３５は剥離可能なシールによりフィンに結合した第１端部および「ロックアップ」シールによりフィンに結合した第２端部を有する。上述したように、永続的すなわち、「ロックアップ」シールは、強固なシールが望ましい取り付け箇所において共押出し低融点材料を導入することによって得られる。代案として、「ロックアップ」または剥離可能のような異なるタイプの取り付けは、本明細書に開示した特定の材料組成の代わりに様々な機械的処理を使用することによって得られる。
【００４７】
さらに、フィン２８ａ、２８ｂの底部部分は、図６Ｃに示すように、位置３４，３６において共押出し材料を設け、さらに重い充填荷重に起因するパッケージの破裂または望まない開封のおそれを軽減する。フィン部分における共押出し材料の存在は、クロージャ組立体と袋パネルとの間における結合強度を強化する。幾つかの実施形態においては、フィン部分における共押出し材料によれば、トラックが袋パネル１２，１４の側辺を超える位置まで延長して重複（オーバーレイ）部分を生ずるようクロージャ組立体を構成することができる。この重複部分は、ハンドルまたはグリップデバイスとして作用し、消費者が都合よくパッケージを掴み、また持ち上げることができるようにするとともに、トラックフィンに導入した共押出し材料は、トラックに荷重が加わるときトラックが袋パネルから破断するのを防止する。この実施形態において、シール部材３５はパネルおよびクロージャ組立体とは個別に形成した分離した構体とする。
【００４８】
代案として、図６Ｂに示すように、シール部材３５の少なくとも一方の端部は、例えば共押出し成形によってフィン２８ａに一体に形成することができ、このとき取り付け箇所３０はフィン２８とシール部材３５との一体形成結合をなす。この構成は、消費者が剥離可能なシール３２を破断した後でもフィンに取り付けた状態のままである点で有利である。したがって、シール部材が不慮にパッケージの内容物との混ざり合うことがないようにする。
【００４９】
図６Ｄに示した実施形態において、クロージャ組立体は一緒に完全に形成されており、第１フィン２８ａから第２フィン２８ｂまで延びている（延在する）よう第１および第２のフィンに一体形成した薄膜３６を有するＷ字状のクロージャトラックとなるよう押し出し成形する。さらに、シール部材３５は、取り付け箇所３０，３２で剥離可能なシールによってフィン２８ａ、２８ｂに取り付ける。Ｗ字状トラック薄膜３６には、さらに、不正開封防止デバイスとして作用するミシン目のような脆弱ラインを設ける構成とし、パッケージの内容物が何らかの方法でアクセスされたまたは荒らされた場合に、消費者への警告を与えるようにする。従って、シール部材３５は薄膜３６の下方に配置して、生ずる可能性がある破裂力を吸収できるようにすることが好ましい。代案として、シール部材３５は、Ｗ字状薄膜３６の上方に配置することができ、この構成によれば、薄膜３６に形成した脆弱ラインは薄膜３６に内力が加わる場合に破裂し易すくし、したがって、望ましい構成ではない。
【００５０】
図６Ｅは、本発明の別の実施形態を示し、この実施形態において、シール部材は、剥離可能なシール３７で接合した２個のフラップ３５ａおよび３５ｂにより構成する。フィンは剥離可能シールまたは永続的シールのいずれかによりパネルに取り付けることができる。この構成は以下に説明するように、剥離可能シールが剥離できるよう配置されているため有利である。さらに、剥離可能シール３７は中央に位置しており、したがって、消費者による識別およびアクセスを容易にする。剥離可能シール３７を開封した後、２個の比較的短いフラップ３５ａ，３５ｂのみ存在し、これらフラップ３５ａ，３５ｂは、パッケージ口を塞ぐまたは干渉する１つの長いシール部材よりもむしろ、フィンの内面に残存する。フラップ３５ａ、３５ｂはフィンと共に押出成形して一体組立体を形成する、代案として、フラップはフィンに個別に取り付けた互いに分離した構体とすることができる。
【００５１】
シール部材３５を設けることは、とくに、底部から充填するパッケージ、すなわち充填荷重がパッケージ頂部のクロージャ組立体に直接加わるパッケージに有利であり、この理由としては、シール部材がクロージャ組立体を保護し、また相互ロックする輪郭部２６，２７の望ましくない分離を抑止するからである。したがって、本発明のクロージャ構造は、とくに底部充填パッケージに適しているが、本発明は、また以下にさらに詳細説明し、また本明細書に参照することによって全体を組み入れるものとする米国特許第６，０７１，０１１号および同第６，３７８，１７７号において例示されている頂部充填パッケージにおいても使用することができる。
【００５２】
本発明の別の実施形態によれば、シール部材４５を、図７に示すように、フィン部分２８ａおよび袋パネル１４の双方に取り付けるよう構成することができる。好適には、シール部材４５は袋パネル１４に位置４２で剥離可能シールによって取り付け、またフィン部分２８ａに位置４０で剥離可能シールまたはロックアップシールのいずれかによって取り付けることができる。永続的ロックアップシールが望ましい場合、フィン部分には、シーラント層、例えば上述したような共押出し材料を設けることができる。この実施形態は、製造、すなわち押出成形を簡素化し、またフィルムウェブならびに仕立て可能な剥離可能シールをカスタマイズできる点で有利である。
【００５３】
同様に、図８はシール部材が２つの部分５５ａ、５５ｂおよび３つの取り付け箇所５０，５１，５２を有する他の実施形態を示す。シール部材の第１部分５５ａは第１フィン２８ａに位置５０で好適には永続的ロックアップシールによって取り付ける。さらに、シール部材の第１部分５５ａは第２フィン２８ｂに、上述したようなＷ字状トラック構造のように、シール部材のシール部分５５ａおよびフィン部分２８ｂの共押出し部分として示す位置５１で取り付ける。シール部材の第２部分５５ｂは第１部分５５ａの下方に延在し、袋パネル１４に対して位置５２で、好適には、剥離可能シールによって取り付け、この剥離可能シールは、袋パネル１４でなくシール部材の第２部分５５ｂに含まれるものとする。さらに、シール部材の第１部分５５ａには、隙間５５ｃで示したミシン目または脆弱ラインを設け、不正開封防止形成部として作用する。
【００５４】
本発明の別の実施形態によれば、図９〜１６に示すように、クロージャ組立体は、フィン２８０ａ，２８０ｂを有し、これらフィン２８０ａ，２８０ｂは、位置３００および３１０でフィン２８０と袋パネル１２，１４との間における永続的ロックアップシールを容易に形成するためのシールリブ２８７を設ける構成とする。さらに第１フィン２８０ａの底部部分は第２フィン２８０ｂの下方まで延在することができ、共押出し材料で形成することができ、また第１フィン２８０ａの底部部分と第２の袋パネル１４との間に位置３２０で剥離可能シール２９０を形成することができる。図１１に示すように、この実施形態は、とくに、頂部充填パッケージに適しており、この場合、内容物をパッケージの口部１３から装填した際に、フィルムパネル１２をフィン２８０ａに対して永続的ロックアップシールにより接合することができる。
【００５５】
図１２は類似した実施形態を示し、この場合、フィン部材３８０ａ、３８０ｂを永続的ロックアップシール４００，４１０により短いフィルムウェブ４８８ａ、４８８ｂに取り付ける。第１フィン部材３８０ａは下方へ第２フィン部材３８０ｂよりも長い距離延在し、また剥離可能シールにより位置４２０で短い第２フィルムウェブ４８８ｂに取り付ける。このような短いフィルムウェブ４８８ａ、４８８ｂを使用することにより、クロージャ組立体を袋に取り付ける方法におけるより高い融通性が得られ、なぜなら、短いフィルムウェブ４８８ａ、４８８ｂは袋パネル１２，１４の内面または外面のいずれかに取り付けることができるからである。図９〜１２は、第２フィン２８０ｂの下方に延びている第１フィン２８０ａを示すが、この構成を逆にして、第２フィン２８０ｂが第１フィン２８０ａの下方に延在させ、パネル１２に取り付けることができることを理解されたい。
【００５６】
本発明の別の実施形態において、フィン部材４８０ａ、４８０ｂを、折り畳み部分を有する一体フィンとして構成し、この一体フィンを、図１４Ａ，Ｂに示すように、２つの位置５２０，５２２で剥離可能シールによってパネル１４に取り付ける。さらに、フィンの折り畳み部分には、不正開封防止形成部として作用する脆弱ライン４８０ｃを設ける。しかし、この脆弱ラインは、何ら脆弱領域を持たない折り畳みのジオメトリ（構成配置）により、いかなる充填荷重および破裂圧力からも保護される。この結果、フィン４８０における脆弱ラインは、消費者が内容物にアクセスするために破断するものであり、増大した充填荷重または落下テストによって生ずるものではない。図１５に示す代替的構造において、フィン５８０ａ、５８０ｂは、増加した内力に耐えるに十分な強度を有するが、消費者がパッケージの内容物にアクセスできる、剥離可能シール６２０により互いに取り付けることができる。
【００５７】
図１６は、パネル１２，１４に取り付けたフィン部材６８０ａ、６８０ｂを有するクロージャ組立体を示し、フィン部分６８０ｂにミシン目または脆弱領域６８０ｃを設けた実施形態を示す。この脆弱領域６８０ｃには、使用者がフィン部材に穿刺して、剥離可能シール６２０を破断し、パッケージの内容物にアクセスできる。剥離可能シール６２０の配置をパッケージの口部に接近させればさせるほど、パネルは拡張し、従って内力を消散させることができるようになる。
【００５８】
上述したように、剥離可能シール部分は、共押出し成形材料がない状態で形成し、したがって、永続的ロックアップシールよりも弱い結合部を形成する。この結果、剥離可能シール材料を有する袋の領域はより破断を受けやすい。しかし、フィン２８０および密封部分３５（どちらかには剥離可能なシールを設けることができる）の双方は、互いに対向する袋パネル１２，１４間に収容することができ、また袋の幅全体にわたり側方に延在し、一方の第１端縁１８ａから他方の第２端縁１８ｂまで、延在することができる。したがって、端縁１８ａ、１８ｂにおける剥離可能シールの材料の存在は、端縁１８ａ、１８ｂに沿う袋パネル１２，１４の結合を妨げ、または脆弱化させることがあり得るものであり、結果として袋の性能にとって不利となる。
【００５９】
したがって、そして本発明の別の態様によれば、上述の様々な実施形態で説明したように、フィン２８０またはシール部材３５を介して形成した剥離可能シールの材料は、袋の端縁１８ａ，１８ｂのうち一方または双方に隣接して切り欠きまたはノッチ部分１５を設けることができる。ノッチ１５は、袋の中心に向かう水平方向距離および袋の底部に向かう垂直方向距離にわたり延在するよう構成する。図１７に示す例示的実施形態は、フィン２８０に形成した直線的なノッチ１５を示したが、ノッチは、所要に応じて様々な形状または寸法で、フィン２８０またはシール部材３５のいずれかに形成できると理解されたい。いくつかの実施形態においては、ノッチは、剥離可能なシール材料高さ全体に沿って延在させる構成とし、剥離可能なシール材料のいかなる部分もフィルムパネル１２，１４の側端縁に位置しないようにすることができる。
【００６０】
袋の端縁１８ａ、１８ｂの近傍における剥離可能なシール材料にノッチを設けることにより、パネル１２，１４の側辺に沿ってより強固なシールが可能となり、また袋の破裂圧力に対する抵抗性を一層高める。さらに、フィン２８０および／あるいはシール部材３５を袋パネル１２，１４とは異なる材料で形成する実施形態においては、ノッチ１５は端縁において均一材料のみ（たとえば袋パネル１２，１４のみ）シールすることができ、これによって欠陥シールにつながるピンホールが側辺に生ずるのを減少することができる。
【００６１】
ノッチ１５は、例えばフィン２８０に、剥離可能シール材料を有するフィン２８の一部から材料を除去することによって設けることができる。この後、フィン２８０はパネル１２，１４間に挿入し、またノッチ領域が端縁１８ａ，１８ｂに整列するよう位置決めすることができる。つぎに、袋パネル１２，１４を、端縁１８ａ，１８ｂおよび底部１６に沿って、上述した任意のシール技術によりシールすることができる。したがって、剥離可能シールは、袋の幅より短い、袋の端縁１８ａ，１８ｂ間の距離にわたり延在するよう構成することができる。さらに、ノッチ１５がフィン２８０の高さ全体に沿って延在し、剥離可能シール材料のいかなる部分も端縁に位置しないようにする実施形態においては、シールした袋の端縁１８ａ，１８ｂの輪郭が袋の高さ全体に沿って、すなわち袋の底部から口部まで、均一になる。
【００６２】
さらに、ミシン目のような脆弱領域はクロージャ組立体に沿って選択位置に形成することができ、これにより、トラックフィンの大部分を無傷のまま、かつパッケージの充填または落下により生ずる力に耐えることを可能にする。側辺のマチに脆弱領域が、もし存在する場合、とくに有益であり、なぜならマチはパネルの拡張により力を消散させ、したがって脆弱領域を保護できるからである。印刷した方向、または色コードのような表示を、クロージャ組立体に沿って設け、パッケージの開封を容易にするための脆弱領域を消費者にとって捜し易くすることができる。
【００６３】
さらに、リブをクロージャ組立体に設け、特に開封に５．９ｋｇ（１３ポンド）以上の力を要するパッケージに関して、脆弱領域に予想可能かつ制御可能な裂け目を確実に設けることができるようにする。図１８に示す実施形態において、リブのデザインは、隣接するリブ６００間における脆弱領域６０１を開放するための溝を形成し、この開放は、裂け目を加工方向に指向させる。リブ６００はシールリブ６０２間に配置する。さらに、樹脂を使用して、脆弱領域を引き裂くまたは開放する向きを付けやすくする。
【００６４】
本発明を本明細書におけるいくつかの好適な実施形態に関して説明したが、当業者には、本発明の範囲から逸脱することなく、様々な変更及び改善を加えることができることを認識するであろう。さらに、本発明の一実施形態における個々の特徴を本明細書で説明しまた図面で示したが、一実施形態の個々の特徴を、他実施形態における一つ以上の特徴、または複数の実施形態における特徴と組み合わせることができることは明らかである
【００６５】
以下に特許請求の範囲で請求する特定の実施形態に加え、本発明は、以下に特許請求の範囲で請求する従属請求項の特徴および上述した実施形態の特徴と組み合わせることができる。このように、従属請求項に提示するおよび上述した実施形態の特定の特徴は、本発明の範囲内で、他の方法により互いに結合することができ、本発明はまた、特にいかなる他の可能な結合を有する他実施形態と関連していると認識すべきである。このように、本発明の特定実施形態の上述した説明は、単に説明および例示目的で示すものである。本発明は、上述した実施形態が全てではなく、または上述した実施形態に限定することを意図したものではない。
【００６６】
当業者であれば、本発明の精神または範囲から逸脱することなく、本発明による方法およびシステムに対して様々な変更および改変を加えることかできることは明らかである。したがって、本発明は添付の特許請求の範囲および均等物の範囲内における変更および改変を含むということを意図する。
【図１】
0005571066.tif 000002
【図２】
0005571066.tif 000003
【図３】
0005571066.tif 000004
【図４】
0005571066.tif 000005
【図５】
0005571066.tif 000006
【図６Ａ】
0005571066.tif 000007
【図６Ｂ】
0005571066.tif 000008
【図６Ｃ】
0005571066.tif 000009
【図６Ｄ】
0005571066.tif 000010
【図６Ｅ】
0005571066.tif 000011
【図７】
0005571066.tif 000012
【図８】
0005571066.tif 000013
【図９】
0005571066.tif 000014
【図１０】
0005571066.tif 000015
【図１１】
0005571066.tif 000016
【図１２】
0005571066.tif 000017
【図１３】
0005571066.tif 000018
【図１４Ａ】
0005571066.tif 000019
【図１４Ｂ】
0005571066.tif 000020
【図１５】
0005571066.tif 000021
【図１６】
0005571066.tif 000022
【図１７】
0005571066.tif 000023
【図１８】
0005571066.tif 000024